(57)【特許請求の範囲】
【請求項１】
使用中に骨構造と接触又はほぼ接触する骨接触表面を有するインプラント本体を備える、整形外科用インプラントであって、
前記骨接触表面は、立体トラスを形成するために互いに結合された複数の平面トラスを備えたウェブ構造を備え、
前記骨接触表面は、そこから突出する骨インターフェイス構造を備え、
前記骨インターフェイス構造は、使用中に前記骨構造に少なくとも部分的に圧入されるよう構成される第１の伸張部分、及び、使用中に前記骨構造に少なくとも部分的に圧入されるよう構成される第２の伸張部分を備え、
前記第２の伸張部分は、前記第１の伸張部分に連結され、前記第１の伸張部分から、前記第１の伸張部分に対して斜めの角度で延伸している、
整形外科用インプラント。
【請求項２】
前記骨インターフェイス構造は、前記骨接触表面から延伸する２次元構造を備える、請求項１に記載の整形外科用インプラント。
【請求項３】
前記骨インターフェイス構造は、前記骨接触表面から延伸するＶ字型構造を備える、請求項２に記載の整形外科用インプラント。
【請求項４】
前記骨インターフェイス構造は、前記骨接触表面から延伸するＵ字型構造を備える、請求項２に記載の整形外科用インプラント。
【請求項５】
前記骨インターフェイス構造は、前記骨接触表面から延伸するフック形状の構造を備える、請求項２に記載の整形外科用インプラント。
【請求項６】
前記骨インターフェイス構造は、前記骨接触表面から延伸する３次元構造を備える、請求項１に記載の整形外科用インプラント。
【請求項７】
前記骨インターフェイス構造の１つ以上の部分は、前記部分状に配置される生物製剤、成長因子、又は耐痛薬剤を備える、請求項１に記載の整形外科用インプラント。
【請求項８】
前記整形外科用インプラントは、大型関節インプラント、小型関節インプラント、外傷インプラント、脊柱インプラント、足首インプラント、頭蓋特大インプラント、及び歯科インプラントのうち１つ以上を備える、請求項１に記載の整形外科用インプラント。
【請求項９】
前記骨構造は、使用中、前記骨インターフェイス構造に接着する、請求項１に記載の整形外科用インプラント。
【請求項１０】
前記骨構造は、使用中、前記整形外科用インプラントの持ち上がりを妨げるよう構成される、請求項１に記載の整形外科用インプラント。
【請求項１１】
前記骨構造は、使用中、前記整形外科用インプラントの移動を妨げるよう構成される、請求項１に記載の整形外科用インプラント。
【請求項１２】
前記骨構造は、使用中、前記整形外科用インプラントの回転を妨げるよう構成される、請求項１に記載の整形外科用インプラント。
【請求項１３】
前記骨構造は、前記インプラント本体の高さの約５０％〜約１５０％の高さを有する、請求項１に記載の整形外科用インプラント。
【請求項１４】
前記第１及び第２の伸張部分の少なくとも１つは、その長さに沿って湾曲する長手方向の軸を備える、請求項１に記載の整形外科用インプラント。
【請求項１５】
前記骨インターフェイス構造は、立体トラスを備える、請求項１に記載の整形外科用インプラント。
【請求項１６】
前記立体トラスは、前記骨インターフェイス表面から延伸する、２つ以上の三角形トラス構造を備え、前記三角形トラス構造のうち２つ以上が、少なくとも１つの共通の支柱を共有する、請求項１５に記載の整形外科用インプラント。
【請求項１７】
前記立体トラスは、３つの平面トラスユニットで形成される、三角形立体トラスを備える、請求項１５に記載の整形外科用インプラント。
【発明の詳細な説明】
【技術分野】
【０００１】
本発明は、広くは医療デバイスに関し、より詳細にはインプラントに関する。
【背景技術】
【０００２】
インプラントは、人間及び／又は動物において、１つ以上の骨を支持及び／又は固定するために用いることができる。整形外科用インプラントは、損傷を受けた関節の置換又は破損した骨の修復用に、体内に設置するよう設計される。例えば、膝の置換手順は、膝の関節の罹患又は損傷表面を、膝の連続的動作を可能にするよう成形した金属及びプラスチック構成要素等のインプラントで置換することを含んでもよい。整形外科用インプラント及び手順は一般的で、長年にわたり改良されてきたが、骨とインプラントの間のインターフェイスが不十分である等の欠点に影響されやすい。骨−インプラントインターフェイスは、インプラントが患者の解剖学的構造にどの程度一体化するかに有意な影響を及ぼし得、従って、インプラント手順の長期間の継続に直接的な影響を及ぼし得る。十分な骨−インプラントインターフェイスを提供することは、膝を置換するインプラント等、インプラントが負荷にさらされる場合に、より重要になり得る。
【０００３】
生体の骨と耐荷重性インプラントの表面との間の、直接の構造的及び機能的接続は、オステオインテグレーションと呼ばれることもある。オステオインテグレーションに関するウルフの法則は、健康なヒト又は動物の骨は、それが位置する場所にかかる負荷に適合される、という、一般に認められた理論である。特定の骨にかかる負荷が増大すると、骨は時間をかけてそれ自体を再形成し、その種の負荷に耐えられるよう、より強いものになる（骨の外部の皮層部分が分厚くなる）。その逆も同様に真である；骨への負荷が減少すると。骨は代謝回転によって弱くなり、これは維持するための代謝的コストが低く、骨質量を維持するために必要な継続的な再生成のための刺激がない。
【０００４】
現在のインプラントの設計は、強力な初期固定及び長期間の固定を提供する試みにおいて、様々な技術を使用している。例えば、膝、臀部、肩、足首の関節置換インプラントはしばしば、初期固定を提供するポスト又はネジを含む。残念ながら、これらの固定技術はしばしば、骨−インプラントインターフェイスにおいて多様かつ不適当な応力分布を含む、欠陥を呈する。骨／インプラントインターフェイスにおける不適当な応力分布は、最終的には骨密度の低下につながり、これによりインプラントの緩みを引き起こすことがある。いくつかの例では、インプラントは、骨への接着を促進するために、多孔性のコーティングを含む。インプラントのいずれの所定の地点に、複数方向の力が同時にかかるため、これらのコーティングは、十分な初期固定を提供し得ない。このような固定の不足は、不規則な骨の治癒及び再形成、接着の不足、並びに不均一性につながり得る微細な動きを可能にしてしまうことがある。その上、多孔性コーティングは、インプラントが存在する動的環境内での、効果的な骨構造の内殖を促進するために十分な厚さを提供できない。このような不適当な構造設計はしばしば、インプラント構成要素の緩み、インプラントの不安定性、インプラントの移動、インプラントの回転、骨又はインプラントの関節表面の早期摩耗、骨−インプラントインターフェイスにおける、又はその付近におけるプロテーゼ周囲の破砕等の問題、及びその他の問題による、不適当な長期間固定につながり得る。
【０００５】
従って、十分な骨−インプラントインターフェイスを提供するインプラント技術を提供することが求められている。
【発明の概要】
【発明が解決しようとする課題】
【０００６】
インプラントシステム及び関連する装置、並びにそれを使用する方法の様々な実施形態を記載する。１つの実施形態では、使用中に骨構造と接触又はほぼ接触する骨接触表面を有するインプラント本体を含む、整形外科用インプラントを提供し、ここで、骨接触表面は、そこから突出する骨インターフェイス構造を有する。骨インターフェイス構造は、使用中に骨構造に少なくとも部分的に圧入される第１の伸張部分、及び、使用中に骨構造に少なくとも部分的に圧入される第２の伸張部分を含む。第２の伸張部分は、第１の伸張部分に連結され、第１の伸張部分から、第１の伸張部分に対して斜めの角度で延伸している。
【課題を解決するための手段】
【０００７】
別の実施形態では、整形外科用インプラントを提供することを含む方法を提供する。インプラントは、使用中に骨構造と接触又はほぼ接触する骨接触表面を有するインプラント本体を含み、ここで、骨接触表面は、そこから突出する骨インターフェイス構造を有する。骨インターフェイス構造は、使用中に骨構造に少なくとも部分的に圧入される第１の伸張部分、及び、使用中に骨構造に少なくとも部分的に圧入される第２の伸張部分を含む。第２の伸張部分は、第１の伸張部分に連結され、第１の伸張部分から、第１の伸張部分に対して斜めの角度で延伸している。本方法はまた、骨接触表面が骨構造と接触又はほぼ接触するように、骨インターフェイス構造を骨構造に挿入することを含む。
【０００８】
更に別の実施形態では、使用中に骨構造と接触又はほぼ接触する骨接触表面、及び骨接触表面から突出する骨インターフェイス構造を有する、インプラント本体を含む、インプラントを提供し、ここで骨インターフェイス構造は立体トラスを含み、また、骨インターフェイス構造は、使用中、骨構造内に配置される。
【０００９】
本発明の利点は、以下の詳細な記載によって、及び、添付の図面を参照することで、当業者には明らかとなるであろう。
【図面の簡単な説明】
【００１０】
【図１】図１は、本技術の１つ以上の実施形態によるインプラントを図示する、ブロック図である。
【図２Ａ】図２Ａは、本技術の１つ以上の実施形態による、骨構造に埋入された図１Ａのインプラントの側面図である。
【図２Ｂ】図２Ｂは、本技術の１つ以上の実施形態による、図１及び２Ａのインプラントの、線２Ｂ−２Ｂでの断面図である。
【図３】図３は、本技術の１つ以上の実施形態による、骨構造に施される切断の図である。
【図４】図４は、本技術の１つ以上の実施形態による切断部材の図である。
【図５】図５は、本技術の１つ以上の実施形態による、インプラントの接触表面に設けられた複数の骨インターフェイス（例えばロッド）構造を含む、骨−インプラントインターフェイスの図である。
【図６】図６は、本技術の１つ以上の実施形態による、複数層のロッド構造を含む骨−インプラントインターフェイスを有する、インプラントの図である。
【図７Ａ】図７Ａは、本技術の１つ以上の実施形態による、例示的な２次元ロッド構造の側面図である。
【図７Ｂ】図７Ｂは、本技術の１つ以上の実施形態による、例示的な２次元ロッド構造の側面図である。
【図７Ｃ】図７Ｃは、本技術の１つ以上の実施形態による、例示的な２次元ロッド構造の側面図である。
【図７Ｄ】図７Ｄは、本技術の１つ以上の実施形態による、例示的な２次元ロッド構造の側面図である。
【図７Ｅ】図７Ｅは、本技術の１つ以上の実施形態による、例示的な２次元ロッド構造の側面図である。
【図７Ｆ】図７Ｆは、本技術の１つ以上の実施形態による、例示的な２次元ロッド構造の側面図である。
【図７Ｇ】図７Ｇは、本技術の１つ以上の実施形態による、例示的な２次元ロッド構造の側面図である。
【図８】図８は、本技術の１つ以上の実施形態による、インプラントの骨−インプラントインターフェイスの接触表面に配置された、図７Ａ〜７Ｇの各ロッド構造の等角図である。
【図９Ａ】図９Ａは、本技術の１つ以上の実施形態による、骨−インプラントインターフェイスの接触表面に設けられた、複数の例示的な３次元ロッド構造の等角図である。
【図９Ｂ】図９Ｂは、本技術の１つ以上の実施形態による、骨−インプラントインターフェイスの接触表面に設けられた、複数の例示的な３次元ロッド構造の等角図である。
【図１０Ａ】図１０Ａは、本技術の１つ以上の実施形態による例示的なインプラントの等角図である。
【図１０Ｂ】図１０Ｂは、本技術の１つ以上の実施形態による例示的なインプラントの上面図である。
【図１１Ａ】図１１Ａは、本技術の１つ以上の実施形態による膝インプラントの側面図である。
【図１１Ｂ】図１１Ｂは、本技術の１つ以上の実施形態による膝インプラントの側面図である。
【図１２】図１２は、本技術の１つ以上の実施形態によるインプラントの側面図である。
【図１３】図１３は、本技術の１つ以上の実施形態による肩インプラントの図である。
【図１４】図１４は、本技術の１つ以上の実施形態による、インプラントの埋入方法を図示するフローチャートである。
【発明を実施するための形態】
【００１１】
本発明では、様々な改変及び代替形態が可能であるが、本発明の特定の実施形態を、図面に例として示し、ここで詳細に記載する。図面の縮尺は、正確でないことがある。しかし、図面及びそれに関する詳細な記載は、ここに開示した特定の形態に本発明を限定することを意図したものではなく、逆に、添付の特許請求の範囲で定義する本発明の精神及び範囲の内にあるあらゆる改変、均等物及び代替物を包含することを意図したものである。
【００１２】
以下で詳細に議論するように、本技術のある実施形態は、整形外科用インプラントを含むインプラントのためのシステム及び方法を含む。いくつかの実施形態では、インプラントは、インプラントと隣接する骨構造との一体化を促進する骨−インプラントインターフェイスを含む。ある実施形態では、骨−インプラントインターフェイスは、インプラントと隣接する骨構造との間の効率的な負荷伝達を提供する。いくつかの実施形態では、骨−インプラントインターフェイスは、そこから延伸するインターフェイス構造（例えばロッド構造）を有するインプラント表面を含み、これは、使用中に骨構造内に配置される。ある実施形態では、ロッド構造は、インプラント表面から延伸する第１の部分と、ロッド構造の第１の部分に対して少なくとも部分的に斜めに配向される第２の部分を含む。ある実施形態では、ロッド構造は、表面から延伸する２次元構造を備える。いくつかの実施形態では、ロッド構造は、骨インターフェイス表面から延伸する、１つ以上のフック型部材（例えばＶ字型又はＵ字型部材）を備える。ある実施形態では、ロッド構造は、骨インターフェイス表面から延伸する３次元構造を備える。いくつかの実施形態では、ロッド構造は、整形外科用インプラントの頂点において互いに連結される、複数のロッド部材を備える。ある実施形態では、ロッド構造は、骨インターフェイス表面から延伸する、２つ以上の三角形トラス構造を備え、三角形トラス構造のうち２つ以上（例えば三角形平坦トラスユニット）が、少なくとも１つの共通の支柱を共有する。ある実施形態では、ロッド構造の１つ以上のロッド部材及び／又はインプラントの表面は、その上に配置される生物製剤を含む。いくつかの実施形態では、ロッド構造は、埋入時に骨に押し込まれる。ロッドを骨に押し込むと、骨構造の弾性によって、ロッド構造において又はその周囲で骨が回復（例えば成長）することができる。これにより、ロッド構造の「把持（ｇｒａｂｂｉｎｇ）」又は「保持（ｈｏｌｄｉｎｇ）」効果を得ることができ、こうして、ロッド構造と隣接する骨構造との一体化によるインプラントの初期固定が可能となる。このような把持又は保持は、インプラントの動きを妨げ得る。ある実施形態では、インプラントは、大型関節インプラント（例えば臀部及び／又は膝インプラント）、小型関節インプラント（例えば肩、肘及び／又は足首インプラント）、外傷インプラント（例えば肩骨折、長期の骨再構成インプラント及び／又は髄内ロッドインプラント）、脊柱インプラント（例えば融合又は動的インプラント）、頭蓋特大インプラント（例えば顎の置換）、歯科インプラントのうち１つ以上を備えてよい。
【００１３】
ここで使用する用語「トラス」は、結節を意味する関節に接続された、１つ以上の伸長する支柱を有する構造を表す。トラスは、プラットトラス、キングポストトラス、クインポストトラス、タウン格子トラス、平面トラス、立体トラス及び／又はフィーレンデールトラスといった様々なトラスを含むことができる（その他のトラスを使用することもできる）。各ユニット（例えば、伸長する支柱で周囲が画定される領域）を、「トラスユニット」と呼んでよい。
【００１４】
ここで使用する用語「平面トラス」は、全ての支柱及び結節が、単一の２次元平面内に実質的に存在するようなトラス構造を表す。例えば、平面トラスは、１つ以上の「トラスユニット」を含んでよく、ここでは、１つ以上のトラスユニットの全ての支柱及び結節が実質的に同一の平面内に存在するよう、各支柱は実質的に一直線の部材である。全ての支柱及び結節が実質的に同一の平面内に存在するよう、各支柱は実質的に一直線の部材であるようなトラスユニットは、「平面トラスユニット」と呼ばれる。
【００１５】
ここで使用する用語「立体トラス」は、単一の２次元平面内に実質的に制限されていない支柱及び結節を有するトラスを表す。立体トラスは、２つ以上の平面トラス（例えば平面トラスユニット）を含んでよく、ここでは、２つ以上の平面トラスのうち少なくとも１つは、２つ以上の平面トラスのうち少なくとも１つ以上の他のトラスの平面に実質的に平行でない平面内に存在する。例えば、立体トラスは、互いに隣接する（例えば共通の支柱を共有する）２つの平面トラスユニットを含んでよく、各平面トラスユニットは、互いに対して角度が付いた（例えば互いに対して平行でない）別個の平面内に存在する。
【００１６】
ここで使用する用語「三角トラス」は、結節を意味する関節に接続した３つの一直線の支柱で形成される、１つ以上の三角ユニットを有する構造を表す。例えば、三角トラスは、互いに対して３つの結節で連結されて三角形状のトラスを形成する、３つの一直線の、伸長する支柱部材を含んでよい。ここで使用する「平面三角トラス」は、全ての支柱及び結節が、単一の２次元平面内に実質的に存在するような三角トラス構造を表す。各三角ユニットは、「三角トラスユニット」と呼んでよい。三角トラスユニットの全ての支柱及び結節が実質的に同一の平面内に存在するよう、各支柱が実質的に一直線の部材であるような三角トラスユニットは、「平面三角トラスユニット」と呼ばれる。ここで使用する「三角立体トラス」は、１つ以上の三角トラスユニットを含む立体トラスである。
【００１７】
ここで使用する用語「ロッド」は、伸長する部材を表す。ロッドは、様々なジオメトリ、例えば円形、楕円形、三角形、正方形、長方形、五角形等の断面形状を含んでよい。ロッドは、一直線の、又は実質的に一直線の、又はその長さに沿って湾曲する、長手方向の軸を含んでよい。ここで使用する「支柱」は、トラスの少なくとも一部を形成するロッドを表す。
【００１８】
ここで図面に移ると、図１は、本技術の１つ以上の実施形態によるインプラント１００を図示したブロック図である。いくつかの実施形態では、インプラント１００は、大型関節インプラント（例えば臀部及び／又は膝インプラント）、小型関節インプラント（例えば肩、肘及び／又は足首インプラント）、外傷インプラント（例えば肩骨折、長期の骨再構成インプラント及び／又は髄内ロッドインプラント）、脊柱インプラント（例えば融合又は動的インプラント）、頭蓋特大インプラント（例えば顎の置換）、歯科インプラント等を含んでよい。いくつかの実施形態では、インプラント１００は、脊柱インプラント手順中に、２つの隣接する脊椎骨の端部平面の間に埋入される、椎間インプラントを含んでよい。例えば、インプラント１００は、２つの隣接する脊椎骨の相対位置を堅固に固定することを意図した、融合インプラント（例えば融合ケージ）を含んでよく、又は／及び、２つの隣接する脊椎骨のそれぞれに連結して、２つの隣接する脊椎骨の動作（例えば屈曲、伸張、及び／又は横方向曲がり）を促進することを意図した、動的椎間デバイスを含んでよい。いくつかの実施形態では、インプラント１００は、関節を構成する膝インプラントの１つ以上の部分を含んでよい。例えば、インプラント１００は、使用中に互いに対して関節で接続されている、膝インプラントの上部又は下部を含んでよく、ここで、上部及び下部のうち１つ又はこれら両方は、インプラント１００を膝の骨構造に連結する骨−インプラントインターフェイスを含む。
【００１９】
いくつかの実施形態では、インプラント１００は、１つ以上の骨−インターフェイスを含んでよい。例えば、図示した実施形態では、インプラント１００は、上部骨−インプラントインターフェイス１０４ａと、下部骨−インプラントインターフェイス１０４ｂとを有する、インプラント本体１０２を含む。インプラント１００は、インプラントと骨構造とのインターフェイスを提供する骨−インプラントインターフェイスを、いくつでも含んでよい。いくつかの実施形態では、上部骨−インプラントインターフェイス１０４ａは、使用中に、第１の隣接する骨構造に接触してこれを固定することができ、下部骨−インプラントインターフェイス１０４ｂは、使用中に、第２の隣接する骨構造に接触してこれを固定することができる。例えば、インプラント１００が２つの隣接する骨構造（例えば２つの隣接する脊椎骨の端部平面）の間にインプラント１００が挟まれている場合、上部骨−インプラントインターフェイス１０４ａは、インプラント１００の上に配置された第１の骨構造の一部に連結してよく、下部骨−インプラントインターフェイス１０４ｂは、インプラント１００の下に配置された第２の骨構造に連結してよい。所定のインプラントに対する骨−インプラントインターフェイスの数及び配向は、目的とする応用に応じて変化してよく、従って、上部及び下部等の相対的な用語は、例示を意図しており、限定を意図するものではないことを理解されたい。例えば、上部及び下部骨−インプラントインターフェイス１０４ａ及び１０４ｂは、これらが横に並ぶように（即ち、インプラント本体１０２の右、左、後及び／又は前側に）配向してもよい。本体１０２の箱型の形状は、例示を意図したものであり、限定を意図するものではない。本体１０２は、所定のインプラント応用例においていずれの所望のインプラント構造を含んでよい。例えば、脊柱インプラント又は膝インプラントは、動作の維持を提供するような形状、構成要素、及び物理的構造を含んでよい。
【００２０】
いくつかの実施形態では、骨−インプラントインターフェイス１０４ａ及び１０４ｂは、接触表面を含んでよい。ここで使用する用語「接触表面」は、隣接する構造（例えば骨構造）と接触若しくはほぼ接触すること及び／又は埋入時に隣接する構造に接着／連結するようになっているインプラントの一部分を表す。接触表面は、例えばインプラントのインターフェイスプレートを含んでよい。図示した実施形態では、骨−インプラントインターフェイス１０４ａ及び１０４ｂはそれぞれ、上部接触表面１０６ａ及び下部接触表面１０６ｂを含む。接触表面１０６ａ及び１０６ｂは、インプラント１００が埋入される時に、隣接する骨構造と当接及び／又は一体化するようになっている、インプラント１００の部分を含んでよい。いくつかの実施形態では、インプラント１００は、単一の接触表面又は３つ以上の接触表面を含んでよい。１つ又は複数の接触表面は、いずれの適切な形状（例えば、実質的に平滑な平坦表面、湾曲した／輪郭に沿った表面、隆起等）をとってよい。
【００２１】
いくつかの実施形態では、骨−インプラントインターフェイスは、インプラント１００と隣接する骨構造との連結を促進する構造を含んでよい。例えば、図示した実施形態では、上部骨−インターフェイス１０４ａは、接触表面１０６ａと、そこから延伸するロッド構造１０８を含む。使用中、ロッド構造１０８は、隣接する骨構造に圧入されてよい。例えば、インプラント１００は、骨構造に対して圧迫され、これにより、ロッド構造１０８は、骨構造に突き刺さり、接触表面１０６ａは、骨構造の、対応する表面に対して圧迫される。従って、ロッド構造１０８は、図２Ａ及び２Ｂに関して以下で詳細に議論するように、骨構造に配置されてよい。
【００２２】
いくつかの実施形態では、インプラントの骨−インプラントインターフェイスのいくつか又は全ては、１つ以上のロッド構造を含んでよい。例えば、図示した実施形態では、上部骨−インプラントインターフェイス１０４ａは、その上に配置されるロッド構造１０８を含む。ロッド構造１０８は、単一の骨−インプラントインターフェイス１０４ａの単一の接触表面１０６ａ上に図示されているが、他の実施形態は、いかなる数の骨−インプラントインターフェイス及び接触表面に配置される、いかなる数のロッド構造を含んでよいことを理解されたい。例えば、いくつかの実施形態では、インプラント１００は、それぞれ骨−インプラントインターフェイス１０４ａ及び１０４ｂの上部及び下部接触表面１０６ａ及び１０６ｂの１つ又は両方の上に配置された、１つ以上のロッド構造を含んでよい。上部及び下部接触表面１０６ａ及び１０６ｂの両方の上に配置されたロッド構造１０８は、インプラント１００が、２つの隣接する骨構造の間隙／距離をつなぐことを意図したものである（例えば、インプラント１００が、上述の２つの隣接した脊椎骨の端部プレートの間に挟まれる）ような、特定の使用に関するものであってよい。
【００２３】
いくつかの実施形態では、ロッド構造は、１つ以上のロッド部材（例えば支柱）を含み、このロッド部材は、各接触表面から延伸し、それを通る骨の成長によって、ロッド構造の、ひいてはインプラントの骨構造への連結を促進することができる領域（例えば開口又は少なくとも部分的な開口）を画定する。例えば、図示した実施形態では、ロッド構造１０８は、３つの支柱１１０ａ、１１０ｂ及び１１０ｃで形成される立体トラスを含む。支柱１１０ａ、１１０ｂ及び１１０ｃはそれぞれ、実質的に一直線に伸長するロッド部材を含み、このロッド部材は、接触表面１０６ａに連結される第１の端部と、頂点１１２において他の各支柱に連結される第２の端部を有する。三角形状のトラス構造の各面は、支柱１１０ａ、１１０ｂ及び１１０ｃのうちの２つと、接触表面１０６ａの隣接する部分とで画定される周を有する三角形の開口を有する、平面トラスユニットを含む。
【００２４】
上述のように、ロッド構造１０８は、一般には、４面を有しかつ実質的に開いている領域（例えば開口／ボリューム）１１４を画定する、三角形状の立体トラスを含む。いくつかの実施形態では、開口／ボリューム１１４は、ロッド構造１０８を通る骨の成長を促進してよく、これによって、インプラント１００の、隣接する骨構造への連結及び一体化を向上させる。例えば、ロッド構造１０８の少なくとも一部は、隣接する骨構造に接触又はほぼ接触してよく、これによって、ロッド構造１０８の開口／ボリューム１１４の少なくとも一部へ及び／又は少なくとも一部を通って、骨が成長することができ、こうして、骨成長は、ロッド構造１０８の１つ以上の支柱１１０ａ、１１０ｂ又は１１０ｃと結合する。骨成長と支柱１１０ａ、１１０ｂ又は１１０ｃとの結合は、骨構造に対して固定された位置において、インプラント１００を堅固に固定することができる。
【００２５】
図２Ａは、本技術の１つ以上の実施形態による、骨構造１２０に埋入された図１のインプラント１００の側面図を図示する。図２Ｂは、本技術の１つ以上の実施形態による、骨構造１２０に埋入された図２Ａのインプラント１００の、線２Ｂ−２Ｂにおける断面図を図示する。図示した実施形態では、ロッド構造１０８は骨構造１２０内に配置され、接触表面１０６ａは、骨構造１２０の面１２２に接触するよう圧迫される。骨構造１２０は、ロッド構造１０８のボリューム１１４に配置される。いくつかの実施形態では、骨構造１２０は、支柱１１０ａ、１１０ｂ及び１１０ｃの周りで、開口／ボリューム１１４内へと成長する、骨の成長を含んでよい。いくつかの実施形態では、骨構造１２０は、骨構造１２０内へのロッド構造の埋入中に骨構造１２０に作製されるスリットを封止する、骨成長を含んでよい。上述のように、骨成長は、ロッド構造１０８と骨構造１２０の結合を提供することができ、従って、骨構造１２０に対して固定された位置において、インプラント１００を堅固に固定することができる。ロッド構造１０８は、隣接する骨構造によって効果的に「把持」され得、これにより、ロッド構造１０８と隣接する骨構造１２０とを一体化することができる。図示した実施形態では、インプラント１００に作用する、矢印１２４方向の力は、骨構造１２０によって供給される、インプラント１００の動きに抵抗する矢印１２６方向の力によって相殺され得る。例えば、インプラント１００が膝インプラントを含む場合、力１２４は、「持ち上げ」力を表し得る。いくつかの実施形態では、最終的な持ち上げは、インプラントの特定の部分に作用する力の結果であり得る。例えば、持ち上げは、矢印１２４ａで表される、インプラント１００への下方向の力の結果であり得る。矢印１２４方向に働く力などの力の分割に応じて、ロッド構造１０８に連結され、ボリューム１１４内に設けられた骨構造１２０は、インプラントが、矢印１２４の方向に上方向に動くのを妨げることができる。ロッド構造１０８に連結され、ボリューム１１４内に設けられた骨構造１２０によって、横方向／剪断力（例えば左右の動き、回転する動き等）に対する同様の抵抗を提供し得る。ボリューム１１４内の骨構造１２０への、力１２４の方向へ支柱１１０ｂ及び１１０ｃを引っ張ることによる負荷伝達により、既に言及したウルフの法則にみられる再形成原理による、骨密度の増加を支援することができる。いくつかの実施形態では、骨構造１２０への表面の（例えば生物製剤又は多孔性のコーティングの使用により強化された）連結によって、骨構造１２０に対するインプラント１００の動きへの抵抗も与えることができる。
【００２６】
いくつかの実施形態では、ロッド構造１０８は、接触表面１０６ａから、インプラント１００の本体１０２の高さ／厚さより短い、これとほぼ同じ、これと同じ、又はこれより大きい距離（例えば高さ）だけ延伸してよい。例えば、図示した実施形態では、ロッド構造１０８は、インプラント本体１０２の高さ／厚さの約４倍の距離だけ突出し、延伸する。いくつかの実施形態では、ロッド構造１０８は、インプラント１００の本体１０２の約１０％、１５％、２０％、３０％、４０％、５０％、６０％、７０％、８０％、９０％、１００％、１５０％、２００％、２５０％、３００％、３５０％、４００％、４５０％、５００％、５５０％の高さを有してよい。いくつかの実施形態では、ロッド構造１０８は、約１ｍｍ、２ｍｍ、３ｍｍ、４ｍｍ、５ｍｍ、１０ｍｍ、１５ｍｍ、２０ｍｍ、２５ｍｍ、３０ｍｍ、４０ｍｍ、４５ｍｍ、５０ｍｍ、５５ｍｍ、６０ｍｍ、６５ｍｍ、７０ｍｍ、７５ｍｍ、８０ｍｍ、又はそれ以上の高さを有してよい。
【００２７】
いくつかの実施形態では、インプラント１００は、隣接する骨構造に接触するよう圧迫されてよく、これにより、埋入に際して、ロッド構造１０８の少なくとも一部が、隣接する骨構造の内側に配置される。例えば、いくつかの実施形態では、インプラント１００は、骨構造１２０に接触するよう圧迫されてよく、これにより、頂点１１２が骨構造に突き刺さって進み、支柱１１０ａ、１１０ｂ又は１１０ｃの少なくとも一部及び開口／ボリューム１１４が骨構造１２０内へと延伸する。このような技術は、開口／ボリューム１１４内への、及び／又はこれを通って骨が成長するのを支援することができる。いくつかの実施形態では、インプラント１００は、各接触表面（例えば上部接触表面１０６ａ）が骨構造１２０の表面１２２に接触又はほぼ接触するまで、骨構造１２０内へと進む／圧迫されることができる。
【００２８】
いくつかの実施形態では、骨−インプラントインターフェイスの少なくとも一部（例えばロッド構造及び／又は接触表面）を、骨成長及び／若しくは骨の接着を促進することを意図した材料、並びに／又はロッド構造及び／若しくは接触表面を介した感染を防ぐための抗菌剤でコーティング／処理してよい。いくつかの実施形態では、骨−インプラントインターフェイスの一部を、インプラントを骨に挿入した後の痛みを軽減するための耐痛薬物（例えば鎮痛剤）でコーティングしてよい。例えば、いくつかの実施形態では、支柱１１０ａ、１１０ｂ若しくは１１０ｃ並びに／又は接触表面１０６ａ及び１０６ｂの表面の少なくともある程度又は全てを、生物製剤、骨成長因子、及び／又は耐痛薬物でコーティングしてよい。いくつかの実施形態では、骨−インプラントインターフェイスのある程度の部分又は全て（例えばロッド構造及び／又は接触表面）は、接触表面の隣接する骨構造への接着を促進する多孔性表面／コーティングを含んでよい。例えば、支柱１１０ａ、１１０ｂ若しくは１１０ｃ並びに／又は接触表面１０６ａ及び１０６ｂのある程度の部分又は全ては、ロッド構造１０８並びに接触表面１０６ａ及び１０６ｂに接着する骨成長を促進するための多孔性表面テクスチャを含んでよい。
【００２９】
いくつかの実施形態では、ロッド構造を埋入する、隣接する骨構造の少なくとも一部を、隣接する骨構造内へロッド構造を進める／圧迫する前に、貫通／切断／スリット形成してよい。例えば、脊椎骨の端部プレートを、ロッド構造１０８の支柱１１０ａ、１１０ｂ及び１１０ｃを受容するよう切断してよい。いくつかの実施形態では、隣接する骨構造に切り込みを入れ、その結果としてできる切断部がロッド構造１０８の部分（例えば１つ以上の支柱又はロッド）を収容するように、切断ツール／刃を使用してよい。例えば、図１〜２Ａに示すように、ロッド構造１０８が三角形状を含む場合、相補的なＹ字型パターンを有する１つ以上の相補的な切断部を、隣接する骨構造に作製してよい。
【００３０】
図３は、本技術の１つ以上の実施形態による、骨構造２０２に備えてよい切断部２００を図示する。骨構造２０２は、骨構造１２０と同様のものであってよい。切断部２２０は、ロッド構造１０８を隣接する骨構造２０２内へと進める／圧迫する前に、又はその結果として、備えてよい。図３は、骨構造の端面図の代表例であり得る。例えば、図３は、脊椎骨の端部プレート面と、この面内に延伸する、ロッド構造１０８の少なくとも一部を受容するよう成形されたＹ字型切断部とを（例えば、脊椎骨の端部プレートを上向き／下向きに見て）示してよい。いくつかの実施形態では、切断部２００は、ロッド構造の１つ以上の部分（例えば支柱又はロッド）を収容するようになっている１つ以上の区画を含んでよい。例えば、図示した実施形態では、切断部２００は、骨構造２０２に形成した３つのスリット２０４ａ、２０４ｂ及び２０４ｃを含む。スリット２０４ａ、２０４ｂ及び２０４ｃは、骨構造２０２の面から、骨構造２０２内へ、骨構造２０２の面に実質的に垂直な方向並びに／又はロッド構造１０８及び／若しくはインプラント１００の支柱が進行すべき方向に実質的に平行な方向に、延伸してよい。
【００３１】
いくつかの実施形態では、スリットは、骨のいかなる材質も除去する必要のない、骨への切断部を含む。例えば、先鋭な切断用刃（例えばナイフ／ブレード）を骨構造２０２内へと進めて、骨構造２０２又は骨構造２０２の相当量を除去することなく、スリット２０４ａ、２０４ｂ及び２０４ｃを作製してよい。インプラント１００を骨構造２０２に埋入する間、支柱１１０ａ、１１０ｂ又は１１０ｃは、スライドして、それぞれスリット２０４ａ、２０４ｂ又は２０４ｃに入り込んでよい。切断部２００は、ロッド構造１０８の部分（例えばロッド又は支柱）の形状／配向に対して相補的であってよい。図示した実施形態は、頂点２０６の周りで互いに対して約１２０°に配向された３つのスリットを含むが、他の実施形態は、インプラントの接触面から延伸するロッド構造の１つ以上の支柱を収容するような、いかなる数のスリットをいかなる配向で含んでよい。例えば、ロッド構造１０８が実質的に四角錐形状である場合（例えば、図７に関して以下に記載するロッド構造１０８ｇを参照）、切断部２００は、互いに対して約９０°に配向された４つのスリットを含んでよい。
【００３２】
いくつかの実施形態では、切断部２００を、骨構造２０２内へ圧迫される、スライドする、又はその他の方法で進む、１つ以上の相補的な切断用部材（例えばナイフ／ブレード）を用いて形成してよい。いくつかの実施形態では、切断用部材は、ロッド構造１０８の部分（例えばロッド又は支柱）の外形に対して相補的に配設される１つ以上の切断用刃を含み、切断用刃が進むことで、骨構造内へ進む／圧迫されるロッド構造１０８を収容するためのスリットのうち１つ、複数、又は全てを切断する。
【００３３】
図４は、本技術の１つ以上の実施形態による切断用部材２５０を図示する。切断用部材２５０は、頂点２５４の周りで互いに対して約１２０°に配向された３つの切断用ブレード２５２ａ、２５２ｂ及び２５２ｃを含む。いくつかの実施形態では、切断用ブレード２５２ａ、２５２ｂ及び２５２ｃは、切断部２００のスリット２０４ａ、２０４ｂ及び２０４ｃ並びに／又はロッド構造１０８の支柱１１０ａ、１１０若しくは１１０ｃに対して相補的に配設される。図示した実施形態は、頂点２５４の周りで互いに対して約１２０°に配向された３つの切断用ブレードを含むが、他の実施形態は、インプラント１００のロッド構造１０８の１つ以上の部分（例えばロッド又は支柱）を収容するような、いかなる数の切断用ブレードをいかなる配向で含んでよい。例えば、ロッド構造１０８が実質的に四角錐形状である場合（例えば、図７に関して以下に記載するロッド構造１０８ｂを参照）、切断用部材２５０は、互いに対して約９０°に配向された４つの切断用ブレードを含んでよい。
【００３４】
いくつかの実施形態では、切断用部材２５０の切断用ブレードは、ロッド構造１０８の高さとほぼ同じ又はそれより深い深さだけ、骨構造２０２内へ進んでよい。いくつかの実施形態では、切断用ブレードは、ロッド構造１０８の高さとほぼ同じ又はそれより浅い深さだけ、骨構造２０２内へ進んでよい。いくつかの実施形態では、切断用ブレードの先頭の刃は、支柱の形状に対して相補的に成形されてよい。例えば、切断用ブレード２５２ａ、２５２ｂ及び２５２ｃのうちの１つ、複数又は全ての先頭の刃は、破線２５６で示すように、インプラント１００の相補的な支柱１１０ｃの角度と実質的に同じ角度を含む、接触表面１０６ａから延伸する支柱１１０ａ、１１０ｂ又は１１０ｃの角度と同様に角度付けされてよい。
【００３５】
いくつかの実施形態では、切断用部材２５０を、骨構造２０２内へと進む器具として提供してよい。いくつかの実施形態では、切断用部材２５０を、埋入手順中に使用する１つ以上の他のデバイスと一体化してよい。例えば、脊柱インプラント手順中、切断用部材２５０は、典型的には脊椎骨の間に位置決めされて、膨張することで隣接する脊椎骨の相対位置を設定する、ディストラクタに接続されてよい。伸延力は、切断用部材２５０を骨構造２０２内に進めるよう作用し得る。図４は、本技術の１つ以上の実施形態による、ディストラクタ２６４の本体２６２の上部表面２６０ａに配置した切断用部材２５０を図示する。いくつかの実施形態では、１つ以上の切断用部材を、例えば下部表面２０６ｂ等、器具（例えばディストラクタ２６４）の他の部分に配置してよい。ディストラクタ２６４がディストラクタ（例えば脊柱ディストラクタ）を含む場合、使用中に、ディストラクタ２６４は、隣接する骨構造（例えば隣接する脊椎骨）の間に配置してよく、膨張して、上部及び下部表面２６０ａ及び２６０ｂを互いから離れる方向に動かし、これによって、（例えば接触表面２６０ａ及び２６０ｂの上部及び／又は下部の）１つ以上の切断用部材２５０を隣接する骨構造（例えば２０２）内へ圧迫し、骨構造（例えば隣接する脊椎骨の端部プレート）に１つ以上の切断部（例えば切断部２００）を形成し、この切断部は、骨構造（例えば骨構造１２０又は２０２）に係合するインプラント（例えばインプラント１００）の１つ以上のロッド構造（例えばロッド構造１０８）の支柱（例えば支柱１１０ａ、１１０ｂ及び１１０ｃ）を収容することを意図したものである。いくつかの実施形態では、ディストラクタは、２つの隣接する骨構造の間（例えば隣接する脊椎骨の端部プレートの間）の離間距離を増大させるために使用してよい。いくつかの実施形態では、切断部の作製に続いて、ディストラクタを収縮させて及び／又は除去して、インプラント（例えば１００）を骨構造の間（例えばディストラクタと実質的に同じ位置）に配置し、これにより、１つ以上のロッド構造を、作製した１つ以上の切断部と整列させる／係合させる。他の実施形態は、ロッド構造を配置すべき骨構造内へ、切断用部材２５０を圧迫する又は進めることを含んでよい。
【００３６】
上記実施形態のいくつかは、単一のロッド構造に関して記載したものであったが、他の実施形態は、ロッド構造をいかなる数及び構成で含んでよい。いくつかの実施形態では、複数のロッド構造を、インプラント１００の１つ以上の骨−インプラントインターフェイスに備えてよい。図５は、本技術の１つ以上の実施形態による、インプラント１００の上部接触表面１０６ａに備えた複数のロッド構造１０８ａ、１０８ｂ、１０８ｃ及び１０８ｄを含む、骨−インプラントインターフェイス１０４を示す。図示した実施形態では、４つのロッド構造１０８ａ、１０８ｂ、１０８ｃ及び１０８ｄを、インプラント１００の上部接触表面１０６ａに、実質的に互いに隣接するように配置する。ロッド構造ロッド構造１０８ａ、１０８ｂ、１０８ｃ及び１０８ｄのいくつか又は全ての支柱は、接触表面１０６ａにおいて、別のロッド構造１０８ａ、１０８ｂ、１０８ｃ及び１０８ｄと少なくとも１つの共通の頂点を共有してよい。いくつかの実施形態では、ロッド構造のうちの１つ、複数又は全ては、互いに離間してよい。例えば、ロッド構造１０８ａ、１０８ｂ、１０８ｃ及び１０８ｄのうちの１つ、複数又は全ては、接触表面１０６ａにおいて又はその近傍において、頂点を共有しなくてもよい。いくつかの実施形態では、インプラント１００のいかなる部分に、いかなる数のロッド構造を設けてよい。いくつかの実施形態では、ロッド構造の形状及び配向は、様々な所望の形状を模倣するように変更してよい。例えば、いくつかの実施形態では、ロッド構造１０８ａ〜１０８ｄのトラス構造は、関節のボール及び／又はソケットの外形と同様の湾曲した外形を提供するために、高さ及び／又は配向を変更してよい。
【００３７】
いくつかの実施形態では、骨−インプラントインターフェイスは、互いに堆積された複数のロッド構造を含んでよく、これらは、インプラント１００の１つ以上の接触表面上に配置されるウェブ状トラス構造を形成する。図６は、本技術の１つ以上の実施形態による、複数層ロッド構造（例えばトラス／ウェブ構造）２７０を含む骨−インプラントインターフェイス１０４を有するインプラント１００を図示する。複数層ロッド構造２７０を、インプラント１００の骨−インプラントインターフェイスに配置してよい。例えば、図示した実施形態では、複数層ロッド構造２７０を、インプラント１００の接触表面１０６ａに配置する。いくつかの実施形態では、複数層ロッド構造は、互いに連結した及び／又は互いに堆積された、複数のロッド構造を含んでよい。ロッド構造の堆積は、重大な骨の欠損が起こり、骨を置換する必要がある場合の、修正手順の複雑さに対処することができる。堆積設計の第１の層は、初期状態の骨構造の「高さ」を置換することができ、ＰＭＭＡ等のセメント、又は時間をかけて骨に再形成されるリン酸カルシウム等の骨空隙充填材で充填することができる。堆積構造の第２の層は、固定及び負荷移動のために設けてよい。例えば、図示した実施形態では、三角形のロッド構造１０８ｅを、ロッド構造１０８ｂ、１０８ｃ及び１０８ｄの頂点に堆積する。いくつかの実施形態では、ウェブ構造２７０の形状及び配向は、様々な所望の形状を模倣するように変更してよい。例えば、いくつかの実施形態では、ウェブ構造２７０は、関節のボール及び／又はソケットの外形と同様の湾曲した外形を提供するために、高さ及び／又は配向を変更してよい。
【００３８】
いくつかの実施形態では、１つ以上の追加のロッド部材を、ロッド構造の頂点のうちの１つ、複数、又は全ての間に設けてよい。例えば、図示した実施形態では、支柱１１０ｄ〜１１０ｈが、ロッド構造１０８ａ〜１０８ｄの頂点の間に延伸する。いくつかの実施形態では、１つ以上の支柱が、いくつか又は全ての支柱の間に、これらが接触面と連結する点又はその近傍において延伸してよい。例えば、１つ以上のロッド部材／支柱が、図１、４及び５に図示した１つ以上の破線の場所に延伸してよい。
【００３９】
様々な形状のトラス構造が考えられるにもかかわらず、上記実施形態のいくつかは、特定の形状のロッド構造（例えば三角形状の立体トラス構造１０８）に関して記載したものであった。このような記載は例示を意図したものであり、限定を意図したものではないことを理解されたい。例えば、いくつかの実施形態では、ロッド構造１０８は、Ｊｅｓｓｅｅ  Ｈｕｎｔによって２００８年１２月１８日に提出された、「トラスインプラント」という名称の米国仮特許出願第６１／１３８７０７号や、Ｊｅｓｓｅｅ  Ｈｕｎｔによって２００９年１２月１７日に提出された、「トラスインプラント」という名称の米国特許出願第１２／６４０８２５号に記載されたもの等のウェブ／トラス構造を含んでよく、これらの文献は、参照によってその全体を本明細書に援用する。
【００４０】
いくつかの実施形態では、ロッド構造は、２次元ロッド構造を含んでよい。図７Ａ〜７Ｇは、本技術の１つ以上の実施形態による、例示的な２次元ロッド構造１０８ｆ〜１０８ｌの側面図を図示する。図８は、本技術の１つ以上の実施形態による、インプラント１００の骨−インプラントインターフェイス１０４の接触表面１０６に配置された、図７Ａ〜７Ｇの各ロッド構造１０８ｆ〜１０８ｌの等角図を図示する。図７Ａは、三角形状のロッド構造１０８ｆを含み、このロッド構造１０８ｆは、互いに頂点において連結され、かつ本体１０２の接触表面１０６に連結される端部をそれぞれ含む２つのロッド部材１１０を含み、これにより、それを通して骨成長が起こり得る開口１１４を画定する。ロッド構造１０８ｆは、三角形状の平面トラスを含んでよい。図７は、Ｕ字型の屈曲部をその頂点に有し、湾曲したロッド部材１１０を含むＵ字型のロッド構造１０８ｇを含み、このロッド構造１０８ｇは、Ｕ字型のまた、本体１０２の接触表面１０６に連結される端部を有し、これにより、それを通して骨成長が起こり得る開口１１４を画定する。いくつかの実施形態では、湾曲したロッド部材１１０は、Ｕ字型を形成する２つ以上の部分（例えばロッド部材）を含んでよい。例えば、右湾曲部分が接触表面１０６から延伸してよく、左湾曲部分が接触表面１０６から延伸してよく、２つの湾曲部分は、ロッド構造１０８ｇの頂点において互いに連結されてよい。従って、２つの湾曲部分は互いに対して、開口１１４を画定するＵ字型を形成するように配向されてよい。図７Ｃは、複数の実質的に一直線のロッド部材１００を含むＵ字型のロッド構造１０８ｈを含み、このロッド部材１１０は、その頂点に１つの実質的に一直線のロッド部材を有し、本体１０２の接触表面１０６に連結された両端に２つの実質的に一直線のロッド部材を有し、それを通して骨成長が起こり得る開口領域１１４を画定する。図７ＤはＬ字型のロッド構造１０８ｉを含み、このロッド構造１０８ｉは、本体１０２の接触表面１０６から延伸する第１の実質的に一直線のロッド部材１１０、及び、第１のロッド部材１１０に対して斜めの角度（例えば、ほぼ垂直の角度）に配向される第２の実質的に一直線のロッド部材１１０を含む。図７Ｅは、フック／とげ形状のロッド構造１０８ｊを含み、このロッド構造１０８ｊは、本体１０２の接触表面１０６から延伸する第１の実質的に一直線のロッド部材１１０、及び、第１のロッド部材１１０に対して斜めの角度（例えば、約４５°の鋭角）に配向される第２の実質的に一直線のロッド部材１１０を含む。他の実施形態は、約１０°〜約１７０°の、第１のロッド部材に対する第２のロッド部材の様々な角度を含んでよい（例えば、第２のロッド部材が第１のロッド部材に対して約１０°、２０°、３０°、４０°、５０°、６０°、７０°、８０°、９０°、１００°、１１０°、１２０°、１３０°、１４０°、１５０°、１６０°、及び／又は１７０°だけ斜めに角度付けられている）。図７Ｆは、フック形状のロッド構造１０８ｋを含み、このロッド構造１０８ｋは、本体１０２の接触表面１０６から延伸する第１の実質的に一直線のロッド部材１１０、第１のロッド部材１１０に対して斜めの角度（例えば、ほ��垂直の角度）に配向される第２の実質的に一直線のロッド部材１１０、及び、第１のロッド部材１１０に対して実質的に平行に配向される第３の実質的に一直線のロッド部材１１０を含む。他の実施形態は、第１のロッド部材に対する第２のロッド部材の様々な角度を含んでよく（例えば、第２のロッド部材が第１のロッド部材に対して約１０°〜約１７０°だけ斜めに角度付けられている−第２のロッド部材が第１のロッド部材に対して約１０°、２０°、３０°、４０°、５０°、６０°、７０°、８０°、９０°、１００°、１１０°、１２０°、１３０°、１４０°、１５０°、１６０°、及び／又は１７０°だけ斜めに角度付けられている）、第２のロッド部材に対する第３のロッド部材の様々な角度を含んでよい（例えば、第３のロッド部材が第２のロッド部材に対して約１０°〜約１７０°だけ斜めに角度付けられている−第３のロッド部材が第２のロッド部材に対して約１０°、２０°、３０°、４０°、５０°、６０°、７０°、８０°、９０°、１００°、１１０°、１２０°、１３０°、１４０°、１５０°、１６０°、及び／又は１７０°だけ斜めに角度付けられている）。図７Ｇは、フック形状のロッド構造１０８ｌを含み、このロッド構造１０８ｌは、本体１０２の接触表面１０６まで湾曲して戻る、丸みを帯びた端部を有するロッド部材を含む。従って、ロッド部材１０８ｌは、少なくとも一端において湾曲し、フックのような形状を形成する丸みを帯びた屈曲部を提供する、長手方向の軸を有する、ロッド部材１００を含んでよい。この屈曲部は、示したように、約１０°〜約１８０°、又はそれ以上の屈曲を含んでよい。
【００４１】
いくつかの実施形態では、ロッド構造は、３次元ロッド構造を含んでよい。例えば、ロッド構造は、１つ以上の、図１〜６に関して上述したロッド構造１０８と同様の形状の、３面を有する三角形状の立体トラス構造を含む。図９Ａ〜９Ｂは、本技術の１つ以上の実施形態による、インプラント１００の骨−インプラントインターフェイス１０４の接触表面１０６に配置される、複数の例示的な３次元ロッド構造１０８ｍ〜１０８ｗの等角図を図示する。ロッド構造１０８ｍ、１０８ｎ、１０８ｏ及び１０８ｐはそれぞれ、４面を有する（例えば四角錐の）立体トラス、５面を有する立体トラス、６面を有する立体トラス、及び８面を有する立体トラスである。ロッド構造１０８ｑは、図７Ｃのロッド構造１０８ｈのロッド部材と同様の複数のロッド部材から形成される、長方形／正方形状のロッド構造を含む。ロッド構造１０８ｒは、図７Ｃのロッド構造１０８ｈのロッド部材と同様の複数のロッド部材から形成される、Ｘ字型のロッド構造を含む。ロッド構造１０８ｓは、図７Ｂのロッド構造１０８ｇのロッド部材と同様の複数の湾曲したロッド部材から形成される、Ｘ字型のロッド構造を含む。ロッド構造１０８ｔは、図７Ｄのロッド構造１０８ｉのロッド構造と同様の複数のロッド構造から形成される、３フック（例えばトレブルフック）形状のロッド構造を含む。ロッド構造１０８ｕは、図７Ｅのロッド構造１０８ｊのロッド構造と同様の複数のロッド構造から形成される、トレブルフック形状のロッド構造を含む。ロッド構造１０８ｖは、図７Ｆのロッド構造１０８ｋのロッド構造と同様の複数のロッド構造から形成される、トレブルフック形状のロッド構造を含む。ロッド構造１０８ｗは、図７Ｇのロッド構造１０８ｌのロッド構造と同様の複数のロッド構造から形成される、トレブルフック形状のロッド構造を含む。ロッド構造１０８ｘは図７Ｃのロッド構造１０８ｈのロッド部材と同様の、反復パターンで配置される複数のロッド部材から形成される、Ｓ字型のロッド構造を含む。他の実施形態は、ランダムなパターンを含んでよく、及び／又は、ここに記載したロッド構造（例えば１０８〜１０８ｗ）の他の形状及び配置のいくつか若しくはすべてを含むパターンを含んでよい。
【００４２】
いくつかの実施形態では、ここに記載したいずれのロッド構造は、複数のロッド部材を連結して形成してよく、又は、与えられた形状に屈曲／形成／鋳造された単一のロッド部材で形成してよい。いくつかの実施形態では、ロッド部材（例えば支柱）は、約０．２５ミリメートル（ｍｍ）〜５ｍｍの厚さ（例えば直径）を有してよい（例えば、直径約０．２５ｍｍ、０．５ｍｍ、０．６ｍｍ、０．７ｍｍ、０．８ｍｍ、０．９ｍｍ、１ｍｍ、２ｍｍ、３ｍｍ、４ｍｍ又は５ｍｍ）。いくつかの実施形態では、ロッド構造は、約１インチ未満の全長又は全幅を有してよい（例えば、長さ約０．９インチ、０．８インチ、０．７インチ、０．６インチ、０．５インチ、０．４インチ、０．３インチ、０．２インチ、０．１インチ未満）。
【００４３】
実施形態は、いかなる多様な形状を有するロッド構造を含んでよい。例えば、他の実施形態は、７面を有する立体トラス及び／又は８以上の面を有する立体トラスを含んでよい。いくつかの実施形態では、いかなるタイプ、サイズ、数、又は、複数の数、タイプ、サイズの組み合わせのロッド構造を、インプラントの接触表面のうちの１つ、複数、又は全てに設けてよい。
【００４４】
図１０Ａ及び１０はそれぞれ、本技術の１つ以上の実施形態による、例示的なインプラント３００の等角図及び上面図を図示する。いくつかの実施形態では、インプラント３００は、骨−インプラントインターフェイス３０４を含み、この骨−インプラントインターフェイス３０４は、そこから延伸する複数のロッド構造３０８を有する接触表面３０６を含む。図示した実施形態では、ロッド構造３０８は、複数の異なる形状及びサイズを含む。例えば、ロッド構造３０８のいくつかは、小さいサイズの三角形状立体トラスであり、ロッド構造３０８のいくつかは、小さいサイズの三角形状立体トラスのロッド部材の間またはその上に延伸する、大きいサイズの三角形状立体トラスであり、ロッド構造３０８のいくつかは、６角形パターンに配設された支柱を含み、これにより、立体トラスに対応する、６面を有する平面トラスを形成する。いくつかの実施形態では、インプラント３００は、膝インプラントの下部部分を含んでよい。
【００４５】
図１１Ａは、本技術の１つ以上の実施形態による、膝インプラント４００の側面図を図示する。図示した実施形態では、インプラント４００は、上部本体４０２ａ及び下部本体４０２ｂを含み、これらはそれぞれ、骨−インプラントインターフェイス４０４ａ及び４０４ｂを有する。上部本体４０２ａは、骨構造４２０ａを載置するカップを含む。いくつかの実施形態では、骨−インプラントインターフェイス４０４ａ及び４０４ｂの１つ又は両方は、ロッド構造を含んでよい。例えば、図示した実施形態では、インターフェイス４０４ａ及び４０４ｂはそれぞれ、接触表面４０６ａ及び４０６ｂから延伸するロッド構造４０８ａ及び４０８ｂを含む。
【００４６】
いくつかの実施形態では、ロッド構造は、他の形態及びタイプの骨−インプラントインターフェイス、例えばロッド又は竜骨と併用してよい。例えば、図１１Ｂに示すように、上部本体４０２ａは、骨構造４２０ａ内に配置される伸長するロッド４１０ａを含んでよく、及び／又は、下部本体４０２ｂは、骨構造４２０ｂ内に配置される伸長するロッド４１０ｂを含んでよい。伸長するロッドは、ダボ継ぎロッド、ネジ、竜骨等を含んでよい。
【００４７】
いくつかの実施形態では、インプラント１００（例えばインプラント本体１０２）は、Ｊｅｓｓｅｅ  Ｈｕｎｔによって２００８年１２月１８日に提出された、「トラスインプラント」という名称の米国仮特許出願第６１／１３８７０７号や、Ｊｅｓｓｅｅ  Ｈｕｎｔによって２００９年１２月１７日に提出された、「トラスインプラント」という名称の米国特許出願第１２／６４０,８２５号に記載されたもの等のウェブ／トラス構造を含んでよく、これらの文献は、参照によってその全体を本明細書に援用する。図１２は、本技術の１つ以上の実施形態によるインプラント５００の側面図を図示する。図示した実施形態では、インプラント５００は、ウェブ／トラス構造を有する本体５０２と、インプラント５００の上部及び下部接触表面５０６ａ及び５０６ｂから延伸する複数のロッド構造５０８ａ及び５０８ｂをそれぞれ含む、上部及び下部骨−インプラントインターフェイス５０４ａ及び５０４ｂと、を含む。インプラント５００は、いくつかの実施形態では、脊柱インプラント（例えば、脊柱融合ケージ、脊椎骨本体置換（ＶＢＲ）、又は脊柱動作維持インプラント）を含んでよい。例えば、上部骨−インプラントインターフェイス５０４ａは、上側の脊椎骨の端部プレートに一体化してよく（例えば、ロッド構造５０８ａを、上側の脊椎骨の端部プレートに圧迫してよく）、下部骨−インプラントインターフェイス５０４ｂは、下側の脊椎骨の端部プレートに一体化してよい（例えば、ロッド構造５０８ｂを、上側の脊椎骨の端部プレートに圧迫してよい）。
【００４８】
図１３は、本技術の１つ以上の実施形態による、肩インプラント６００を図示した図である。図示した実施形態では、インプラント６００は、それぞれ骨−インプラントインターフェイス６０４ａ及び６０４ｂを有する、第１の本体６０２ａ及び第２の本体６０２ｂを含む。いくつかの実施形態では、骨−インプラントインターフェイス６０４ａ及び６０４ｂの１つ又は両方は、ロッド構造を含んでよい。例えば、図示した実施形態では、インターフェイス６０４ａ及び６０４ｂは、ロッド構造６０８ａ及び６０８ｂを含む。いくつかの実施形態では、骨とのインターフェイスに、ロッドインターフェイスのみを用いる。例えば、本体６０２ａの伸張した部分は存在しなくてよく、及び／又は本体６０２ｂのネジは存在しなくてよい。
【００４９】
図１４は、本技術の１つ以上の実施形態によるインプラントを埋入する方法１０００を図示したフローチャートである。図示した実施形態では、方法１０００は、ブロック１００２で示すように骨構造を準備すること、及び、ブロック１００４で示すようにインプラント（例えばインプラント１００）を挿入することを含む。いくつかの実施形態では、骨構造を準備することは、骨構造を位置決めすることを含む。例えば、ディストラクタ（例えば図４のディストラクタ２６２）を使用して、隣接する骨構造を分離してよく、これにより、インプラントを２つの隣接する骨構造の間に挟むことができる。いくつかの実施形態では、骨構造を準備することは、骨構造を切断／スリット形成して、この骨構造に連結されるインプラントのロッド構造の１つ以上の支柱を収容することを含む。例えば、切断用部材（例えば切断用部材２５０）を骨構造内へ進めて、１つ以上のスリット（例えばスリット２０４ａ、２０４ｂ及び２０４ｃ）を含む切断部（例えば切断部２００）を作製してよい。いくつかの実施形態では、伸延及び切断は、その接触面に連結された１つ以上の切断用部材を含むディストラクタ（例えば、上面２０６ａ及び下面２０６ｂの両方に連結された切断用部材２５０を有するディストラクタ２６４）を使用することで、同時に行ってよい。
【００５０】
いくつかの実施形態では、インプラントを挿入することは、骨構造（例えば骨構造２０２）に隣接してインプラント（例えばインプラント１００）を位置決めすること、骨構造の相補的部分（例えば切断部２００）とロッド構造（例えばロッド構造１０８）を整列すること、及び／又は、骨−インプラントインターフェイス（例えば骨−インプラントインターフェイス１０４、１０４ａ又は１０４ｂ）を骨構造に向かって進めて、少なくともこのロッド構造を骨構造に接触又はほぼ接触させることを含む。いくつかの実施形態では、インプラントを、接触表面（例えば接触表面１０６ａ及び／又は１０６ｂ）が骨構造と接触又はほぼ接触し、ロッド構造の少なくとも一部分又は実質的にその全体が、骨構造内に配置されるまで進めてよい。例えば、トラス構造１０８の実質的に全ての支柱を、骨構造に設けたスリット２０４ａ、２０４ｂ及び２０４ｃ内に配置してよい。
【００５１】
方法１０００は例示的なものであり、限定を意図したものではないことが理解されるであろう。記載した１つ以上の要素は、同時に行ってよく、又は上に示したものとは異なる順序で行ってよく、又はその全体を削除してよい。方法１０００は、いかなる数の変形を含み得る。例えば、いくつかの実施形態では、ロッド構造１０８のロッド／支柱は、骨構造の必要な準備手順を最小とするために、先鋭な／薄い外形を含んでよい（例えば、インプラントが進み、骨の表面に接触するにつれて、ロッド構造の支柱は骨構造を貫通／スライスすることができるため、切断部を骨構造に設ける必要はない）。従って、いくつかの実施形態では、方法１０００のステップ１００２及び１００４を、まとめて単一のステップとしてよい。
【００５２】
以上の記載から、本発明の様々な態様の更なる改変及び代替実施形態が、当業者には明らかであろう。従って、以上の記載は、単なる例示として解釈されるべきであり、当業者に、本発明を実施する一般的な方法に付いて教示するためのものである。ここに示し、記載した本発明の形態は、実施形態の例と捕らえられるべきものであることを理解されたい。要素及び材料は、ここに図示及び記載したものを置換してよく、部品及び工程を反転又は省略してよく、本発明の一定の特徴は、独立して利用してよく、これら全ては、本発明に関する以上の記載の利益に関係する当業者には明らかであろう。ここに記載した要素は、以下の特許請求の範囲に記載する本発明の精神及び範囲から逸脱しない限りにおいて、変更してよい。更に、単語「してよい、し得る（ｍａｙ）」は、本出願の全体において、許容（即ち、する能力がある、することができる）を表すために使用しており、強制（即ち、しなければならない）を表すために使用したものではない。用語「含む」とその変形形態は、「含むが、それに限定されない」を意味する。本出願の全体において使用したように、単数形「ａ」「ａｎ」及び「ｔｈｅ」は、その内容が明らかに単数を示していない限り、複数の指示対象を含む。よって、例えば「部材（ａ  ｍｅｍｂｅｒ）」という表現は、２つ以上の部材の組み合わせを含む。用語「連結された（ｃｏｕｐｌｅｄ）」は、「直接的又は間接的に接続された」を意味する。
【００５３】
特定の米国特許、米国特許出願及びその他の資料（例えば記事）を、参照により本発明に援用した。しかしながら、これらの米国特許、米国特許出願及びその他の資料の本文は、これらの本文と、ここに発表したその他の叙述及び図面との間に矛盾が存在しない範囲でのみ、参照によって援用される。このような矛盾が発生した場合は、参照によって組み込まれる特定の米国特許、米国特許出願及びその他の資料の、このような矛盾の原因となるいかなる本文は、参照によって本特許に明確に援用しないものとする。
【図１】
0005990516.tif 000002
【図２Ａ】
0005990516.tif 000003
【図２Ｂ】
0005990516.tif 000004
【図３】
0005990516.tif 000005
【図４】
0005990516.tif 000006
【図５】
0005990516.tif 000007
【図６】
0005990516.tif 000008
【図７Ａ】
0005990516.tif 000009
【図７Ｂ】
0005990516.tif 000010
【図７Ｃ】
0005990516.tif 000011
【図７Ｄ】
0005990516.tif 000012
【図７Ｅ】
0005990516.tif 000013
【図７Ｆ】
0005990516.tif 000014
【図７Ｇ】
0005990516.tif 000015
【図８】
0005990516.tif 000016
【図９Ａ】
0005990516.tif 000017
【図９Ｂ】
0005990516.tif 000018
【図１０Ａ】
0005990516.tif 000019
【図１０Ｂ】
0005990516.tif 000020
【図１１Ａ】
0005990516.tif 000021
【図１１Ｂ】
0005990516.tif 000022
【図１２】
0005990516.tif 000023
【図１３】
0005990516.tif 000024
【図１４】
0005990516.tif 000025